(57)【要約】【課題】  ねじ蓋タイプの錠剤容器に適用可能な錠剤ディスペンサを提供する。【解決手段】  本発明は、容器本体３の開口部４をねじ蓋６で閉塞する錠剤容器２に用いる錠剤ディスペンサ１に関する。このディスペンサ１は、開口部４の内側に設けられ、容器内部の錠剤８が通過可能な第１通過部１８を有する筒状部材１１と、筒状部材１１の容器外側に同軸心状でかつ回転自在に取り付けられ、容器内部の錠剤が通過可能な第２通過部２８を有する開閉部材１２と、ねじ蓋６の閉鎖方向への回転に連動して、第１及び第２通過部１８，２８が連通するように開閉部材１２を回転させ、ねじ蓋６の開放方向への回転に連動して、第１及び第２通過部１８，２８が連通しなくなるように開閉部材１２を回転させる連動部材３３と、を備える。【選択図】図３
2015085155.tif 000002
【特許請求の範囲】
【請求項１】
容器本体の開口部をねじ蓋で閉塞する錠剤容器に用いる錠剤ディスペンサあって、
前記開口部の内側に設けられ、容器内部の錠剤が通過可能な第１通過部を有する筒状部材と、
前記筒状部材の容器外側に同軸心状でかつ回転自在に取り付けられ、容器内部の錠剤が通過可能な第２通過部を有する開閉部材と、
前記ねじ蓋の閉鎖方向への回転に連動して、前記第１及び第２通過部が連通するように前記開閉部材を回転させ、前記ねじ蓋の開放方向への回転に連動して、前記第１及び第２通過部が連通しなくなるように前記開閉部材を回転させる連動部材と、
を備えることを特徴とする錠剤ディスペンサ。
【請求項２】
前記連動部材は、先端部が前記ねじ蓋の内面に係脱自在に掛止する弾性爪部を、前記開閉部材の容器外側の面から突設することによって構成されている請求項１に記載の錠剤ディスペンサ。
【請求項３】
前記第２通過部は、１つの前記錠剤を独立して当該通過部内に収容可能な直径と軸方向高さに設定されている請求項１又は２に記載の錠剤ディスペンサ。
【請求項４】
同じ数の複数の前記第１及び第２通過部が、前記筒状部材及び前記開閉部材の軸心から等距離の径方向位置でかつ周方向に等間隔おきに配置されている請求項１〜３のいずれか１項に記載の錠剤ディスペンサ。
【請求項５】
錠剤を収容可能な容器本体と、
前記容器本体の開口部の外周面に形成されたねじ部に螺合するねじ蓋と、
請求項１〜４のいずれか１項に記載の錠剤ディスペンサと、
を備えていることを特徴とする錠剤容器。
【発明の詳細な説明】
【技術分野】
【０００１】  本発明は、１回の投与に必要な数の錠剤を取り出すことができる、錠剤ディスペンサとこれを有する錠剤容器に関する。
【背景技術】
【０００２】  わが国の医療業界では、錠剤を収容するための錠剤容器として、ガラス製又は合成樹脂製の円筒状の容器本体と、この容器本体の開口部をねじ蓋で閉塞するタイプ（以下、「ねじ蓋タイプ」という。）の錠剤容器が多用されている。しかし、ねじ蓋タイプの錠剤容器に適した錠剤ディスペンサは未だ開発されていない。
【先行技術文献】
【特許文献】
【０００３】
【特許文献１】  特表２０１０−５２３２３３
【発明の概要】
【発明が解決しようとする課題】
【０００４】  例えば、１回の投与に必要な数の錠剤を取り出すための錠剤ディスペンサとして、特許文献１に記載のものが知られている。しかし、この従来の錠剤ディスペンサでは、錠剤容器がほぼ長方形状であり、ねじ蓋タイプの錠剤容器に適用されたものではない。
本発明は、上記の問題点に鑑み、ねじ蓋タイプの錠剤容器に適用可能な錠剤ディスペンサと、そのディスペンサを有する錠剤容器を提供することを目的とする。
【課題を解決するための手段】
【０００５】  本発明の錠剤ディスペンサは、容器本体の開口部をねじ蓋で閉塞する錠剤容器に用いる錠剤ディスペンサあって、前記開口部の内側に設けられ、容器内部の錠剤が通過可能な第１通過部を有する筒状部材と、前記筒状部材の容器外側に同軸心状でかつ回転自在に取り付けられ、容器内部の錠剤が通過可能な第２通過部を有する開閉部材と、前記ねじ蓋の閉鎖方向への回転に連動して、前記第１及び第２通過部が連通するように前記開閉部材を回転させ、前記ねじ蓋の開放方向への回転に連動して、前記第１及び第２通過部が連通しなくなるように前記開閉部材を回転させる連動部材と、を備えることを特徴とする。【０００６】  本発明の錠剤ディスペンサによれば、連動部材が、ねじ蓋の閉鎖方向への回転に連動して、第１及び第２通過部が連通するように開閉部材を回転させる。
従って、ねじ蓋が閉鎖した状態で、開口部が下に来るように錠剤容器を上下反転させると、容器内部の錠剤が第１及び第２通過部を通過してねじ蓋の内面に到達し、第１及び第２通過部の設置数に対応する所定数の錠剤が、ねじ蓋の内面の上にセットされる（図３参照）。【０００７】  また、本発明の錠剤ディスペンサによれば、連動部材が、ねじ蓋の開放方向への回転に連動して、第１及び第２通過部が連通しなくなるように開閉部材を回転させる。
従って、錠剤容器を上記のように上下反転させた状態で、ねじ蓋を開放方向に回転させると、第１通過部にある錠剤が第２通過部を通過できなくなり（図４参照）、既にねじ蓋の内面の上にセットされていた錠剤のみが、ねじ蓋の開放後にねじ蓋側に残ることになる（図５参照）。【０００８】  このように、本発明の錠剤ディスペンサでは、錠剤容器を上下反転させた状態でねじ蓋を開放方向へ回転させるだけで、所定数の錠剤をねじ蓋に残した状態で簡単に取り出すことができ、医療業界で多用されている「ねじ蓋タイプ」の錠剤容器に好適に適用することができる。従って、汎用性の高い錠剤ディスペンサが得られる。【０００９】  本発明の錠剤ディスペンサにおいて、前記連動部材は、例えば、先端部が前記ねじ蓋の内面に係脱自在に掛止する弾性爪部を、前記開閉部材の容器外側の面から突設することによって構成することができる。
かかる弾性爪部を採用すれば、開閉部材の構造を若干変更するだけで連動部材を構成することができ、連動部材を簡単に構成することができる。【００１０】  本発明の錠剤ディスペンサにおいて、前記第２通過部は、１つの前記錠剤を独立して当該通過部内に収容可能な直径と軸方向高さに設定されている必要がある。
その理由は、第２通過部の内部に１つの錠剤を独立した収容できないと、ねじ蓋に連動して開閉部材を開放方向へ回転させる場合に、既に第２通過部に収容された錠剤が第１通過部に引っ掛かり、開閉部材を回転できなくなるからである。【００１１】  本発明の錠剤ディスペンサにおいて、同じ数の複数の前記第１及び第２通過部が、前記筒状部材及び前記開閉部材の軸心から等距離の径方向位置でかつ周方向に等間隔おきに配置されていることが好ましい。
このようにすれば、筒状部材と開閉部材に第１及び第２通過部をそれぞれ２つ以上設けることができるので、２つ以上の錠剤を１度に取り出すことができる。【００１２】  本発明の錠剤容器は、錠剤を収容可能な容器本体と、前記容器本体の開口部の外周面に形成されたねじ部に螺合するねじ蓋と、上述の本発明の錠剤ディスペンサと、を備えていることを特徴とする。
従って、本発明の錠剤容器によれば、本欄に記載した錠剤ディスペンサと同様の作用効果を奏することができる。
【発明の効果】
【００１３】  以上の通り、本発明によれば、医療業界で多用されているねじ蓋タイプの錠剤容器に適用可能であるから、汎用性の高い錠剤ディスペンサを提供することができる。
【図面の簡単な説明】
【００１４】
【図１】  本発明の実施形態に係る錠剤ディスペンサの斜視図である。
【図２】  錠剤ディスペンサの分解断面図である。
【図３】  （ａ）は、ねじ蓋を閉鎖した状態の錠剤ディスペンサ付きの錠剤容器の断面図であり、（ｂ）は、その錠剤容器を下から見た底面図である。
【図４】  （ａ）は、ねじ蓋を開放方向に回転して取り外す途中の錠剤ディスペンサ付きの錠剤容器の断面図であり、（ｂ）は、その錠剤容器を下から見た底面図である。
【図５】  （ａ）は、ねじ蓋を取り外した後の錠剤ディスペンサ付きの錠剤容器の断面図であり、（ｂ）は、その錠剤容器を下から見た底面図である。
【発明を実施するための形態】
【００１５】  以下、図面を参照しつつ、本発明の実施形態を説明する。
〔錠剤ディスペンサの構成〕
図１は、本発明の実施形態に係る錠剤ディスペンサ１の斜視図であり、図２は、錠剤ディスペンサ１の分解断面図である。
本実施形態の錠剤ディスペンサ１は、図３〜図５に示す「ねじ蓋タイプ」の錠剤容器２に好適に適用されるディスペンサである。
【００１６】  錠剤容器２は、ガラス製又は合成樹脂製の円筒状の容器本体３と、容器本体３の開口部４の外周面に形成されたねじ部５に螺合するねじ蓋６とを備えている。
ねじ蓋６は、上記ねじ部５に対応するねじ部が内周面に形成されたフランジ部を有する蓋部材よりなる。この蓋部材は、金属製又は合成樹脂製である。また、ねじ蓋６の平板部の面には、後述する弾性爪部３４が係脱する緩衝パッド７が張り付けられている。
【００１７】  図１及び図２に示すように、錠剤ディスペンサ１は、容器本体３の開口部４の内側に設けられた筒状部材１１と、この筒状部材１１の容器外側に同軸心状でかつ回転自在に取り付けられた開閉部材１２とから構成されている。これらの部材１１，１２はいずれも合成樹脂製である。
【００１８】  筒状部材１１は、ほぼ円筒状の外周壁部１３と、この外周壁部１３の内部を上側の第１収容部１４と下側の第２収容部１５とに区画する中間壁部１６とを一体に有する。
外周壁部１３の外周面における周方向の複数箇所には、容器本体３の開口部４の内周面に圧接して締まり嵌合する取付リブ１７が形成されている。従って、外周壁部１３は、開口部４の内周面に対して締まり嵌めによる固定が可能である。
【００１９】  外周壁部１３の第１収容部１４には、錠剤８が個別に通過可能な第１通過部１８が複数（図例では３つ）設けられている。
第１通過部１８は、中間壁部１６を上下方向に貫通する円筒形状の貫通孔を有する、比較的短い円筒部よりなる。この円筒部は、中間壁部１６から第１収容部１４側（図１及び図２の上側）に突出している。３つの第１通過部１８は、外周壁部１３の中心（開閉部材１２の回転軸心）回りに１２０度間隔で放射状に配置されている。
【００２０】  なお、外周壁部１３の第１収容部１４には、外周壁部１３の中心部分から内面に向かって次第に高くなるように形成された、ほぼ三角形状の補強リブ１９が設けられている。
また、中間壁部１６の中心部分には、後述する開閉部材１２の回転軸２７を回転自在に支持する取付ボス２０が形成されている。
【００２１】  外周壁部１３の第２収容部１５は、後述する開閉部材１２の円板部２５が回転自在に収容される空間であり、当該円板部２５を丁度収容できる直径と深さを有する。また、第２収容部１５の内周面には、開閉部材１２の回動範囲を規定する複数（図例では３つ）のストッパー片２１が突設されている（図２及び図３参照）。
なお、外周壁部１３の下端縁には、容器本体３の開口縁面に当接して、開口部４に対する嵌め込み深さを規定する止めフランジ２２が形成されている。
【００２２】  図２に示すように、開閉部材１２は、厚肉の円板状である円板部２５と、円板部１５の下端縁から突設されたフランジ部２６と、円板部２５の中心部から上方に突設された回転軸２７とを一体に有する。
開閉部材１２の円板部２５には、錠剤８が個別に通過可能な第２通過部２８が、前述の第１通過部１８と同数（図例では３つ）だけ設けられている。
【００２３】  第２通過部２８は、円板部２５を上下方向に貫通する円筒形状の貫通孔よりなり、第１通過部１８と対応する周方向及び径方向位置に設けられている。
すなわち、本実施形態では、３つの第２通過部２８は、第１通過部１８と同様に、外周壁部１３の中心（開閉部材１２の回転軸心）回りに１２０度間隔で放射状に配置されている。
【００２４】  なお、本実施形態では、第２通過部２８は、１つの錠剤８を独立して当該通過部２８内に収容可能な直径と軸方向高さに設定されている。
具体的には、図３〜図５に例示する偏平かつ円形の錠剤８を想定すると、第２通過部２８の直径は、錠剤８の最大径よりも大きい寸法に設定され、第２通過部２８の軸方向高さは、錠剤８の厚さよりも大きい寸法に設定されている。
【００２５】  回転軸２７の先端部分は、直径方向に分断されて二つ割れ状に形成されており、その先端部分の外周面には、抜け止め突部２９が一体に形成されている。
そして、回転軸２７を取付ボス２０に挿通し、フランジ部２６が止めフランジ２２にほぼ当接するまで、円板部２５を第２収容部１５に収容させると、回転軸２７の抜け止め突部２９が取付ボス２０の上端縁に引っ掛かって抜け止めされ、開閉部材１２が筒状部材１１に対して同軸心状でかつ回転自在に取り付けられる。
【００２６】  開閉部材１２の円板部２５の外周面には、３つのストッパー片２１と協働して開閉部材１２の筒状部材１１に対する相対的な回動範囲を規定する、複数（図例では３つ）の周溝部３０が形成されている。この周溝部３０の周方向の延長範囲はほぼ６０度である。
そして、図３に示すように、ストッパー片２１が、周溝部３０におけるねじ蓋６の閉鎖方向（右回り）の限界点となる端面に到達すると、第２通過部２８が第１通過部１８と合致して両者が連通する。
【００２７】  また、図４に示すように、ストッパー片２１が、周溝部３０におけるねじ蓋６の開放方向（左回り）の限界点となる端面に到達すると、第２通過部２８が第１通過部１８に対してほぼ６０度だけずれた状態となる。
従って、この場合、第２通過部２８が第１通過部１８と連通しなくなり、第２通過部２８が開閉部材１２の円板部２５によって閉鎖され、第２通過部２８の内部の錠剤８が下方に落下しなくなる。
【００２８】  〔連動部材の構成〕
本実施形態の錠剤ディスペンサ１は、ねじ蓋６の閉鎖方向への回転に連動して、第１及び第２通過部１８，２８が連通するように開閉部材１２を回転させ、ねじ蓋６の開放方向への回転に連動して、第１及び第２通過部１８，２８が連通しなくなるように開閉部材１２を回転させる連動部材３３を、更に備えている。
【００２９】  具体的には、上記連動部材３３は、先端部がねじ蓋６の緩衝パッド７の内面に係脱自在に掛止する弾性爪部３４を、開閉部材１２の容器外側の面から突設することによって構成されている。
すなわち、図２及び図３に示すように、開閉部材１２の下面には、複数（図例では３つ）の弾性爪部３４が切り起こし形成されている。この弾性爪部３４は、開閉部材１２の下面（ねじ蓋６側の面）よりも更に下方に突出する掛止片３５を先端部に有する。
【００３０】  従って、錠剤ディスペンサ１が装着された錠剤容器２の開口部４に、ねじ蓋６を閉鎖方向（容器本体３に対して右回り）に回転させてねじ込むと、弾性爪部３４がねじ蓋６の緩衝パッド７に掛止した時点から、開閉部材１２がねじ蓋６とともに閉鎖方向に回転する。
これにより、図３に示すように、第１及び第２通過部１８，２８が互いに連通する状態となる。
【００３１】  他方、錠剤ディスペンサ１が装着された錠剤容器２の開口部４から、ねじ蓋６を開放方向（容器本体３に対して左回り）に回転させて開放させて行くと、緩衝パッド７に掛止している弾性爪部３４の掛止片３５により、開閉部材１２がねじ蓋６とともに開放方向に回動する。
これにより、図４に示すように、第２通過部２８が第１通過部１８に対して角度がほぼ６０度だけずれた状態となる。
【００３２】  〔錠剤ディスペンサの使用方法と作用〕
図３〜図５は、本実施形態の錠剤ディスペンサ１付きの錠剤容器２を示している。このうち、図３は、ねじ蓋６を閉鎖した状態、図４は、ねじ蓋６を開放方向に回転して取り外す途中の状態、図５は、ねじ蓋６を取り外した後の状態を示している。
以下、これらの図３〜図５を参照して、錠剤ディスペンサ１付きの錠剤容器２の使用方法と作用を説明する。
【００３３】  ユーザーが１回の投与に必要な所定数（本実施形態では３つ）の錠剤８を錠剤容器２から取り出すには、まず、図３に示すように、ねじ蓋６を閉鎖した状態で、開口部４が下に来るように錠剤容器２を上下反転させる。
このとき、図３（ｂ）に示すように、前述の連動部材３３（弾性爪部３４）の機能により、第１通過部１８と第２通過部２８が互いに連通しているので、所定数の錠剤８が第２通過部２８に収容され、ねじ蓋６の内面の上にセットされる。
【００３４】  次に、図４に示すように、錠剤容器２を上記のように上下反転させた状態のまま、ねじ蓋６を開放方向に回転させると、前述の連動部材３３（弾性爪部３４）の機能により、開閉部材１２がねじ蓋６とともにほぼ６０度だけ開放方向に回転し、第２通過部２８が第１通過部１８と連通しなくなる。
従って、図５に示すように、ねじ蓋６を更に開放方向に回転させてねじ蓋６を取り外すと、第１通過部１８内の錠剤８の落下が開閉部材１２によって阻止され、第２通過部２８に収容されていた３つの錠剤８だけが、ねじ蓋６の上に取り出されることになる。
【００３５】  なお、所定数の錠剤８を取り出した後は、ねじ蓋６を通常通り開口部４にねじ込んで容器本体３を閉鎖すればよい。
このとき、前述の連動部材３３（弾性爪部３４）の機能により、第１通過部１８と第２通過部２８が互いに連通した状態に戻る。従って、上記と同様に、錠剤容器２を上下反転させた図３の状態でねじ蓋６を取り外すことにより、１回の投与に必要な所定数の錠剤８の取り出しを再度行うことができる。
【００３６】  このように、本実施形態の錠剤ディスペンサ１では、錠剤容器２を上下反転させた状態でねじ蓋６を開放方向へ回転させるだけで、所定数の錠剤８をねじ蓋６側に残した状態で簡単に取り出すことができる。
このため、医療業界で多用されている「ねじ蓋タイプ」の錠剤容器２に好適に適用することができる、汎用性の高い錠剤ディスペンサ１が得られる。
【００３７】  〔その他の変形例〕
本発明の錠剤ディスペンサ１は、錠剤ディスペンサ１を錠剤容器２の開口部４に後付けするタイプのものだけでなく、容器本体３に最初から取り付けられていてもよい。
すなわち、錠剤ディスペンサ１の筒状部材１１を錠剤容器２の開口部４に接着剤等で予め固定したり、一体に成形したりすれば、上述のディスペンサ機能を有する錠剤容器２を製作することができる。
【００３８】  また、上述の実施形態では、１回の投与に必要な錠剤８の所定数が「３」の場合を例示したが、この所定数は、１又は複数の任意の数に設定することができる。
【符号の説明】
【００３９】１  錠剤ディスペンサ
２  錠剤容器
３  容器本体
４  開口部
５  ねじ部
６  ねじ蓋
７  緩衝パッド
８  錠剤
１１  筒状部材
１２  開閉部材
１３  外周壁部
１４  第１収容部
１５  第２収容部
１５  円板部
１６  中間壁部
１７  取付リブ
１８  第１通過部
１９  補強リブ
２０  取付ボス
２１  ストッパー片
２２  止めフランジ
２５  円板部
２６  フランジ部
２７  回転軸
２８  第２通過部
２９  抜け止め突部
３０  周溝部
３３  連動部材
３４  弾性爪部
３５  掛止片
【図１】
2015085155.tif 000003
【図２】
2015085155.tif 000004
【図３】
2015085155.tif 000005
【図４】
2015085155.tif 000006
【図５】
2015085155.tif 000007